(57)【要約】【課題】利用者が配信情報を正確に理解することを容易にする情報配信システムを提供すること。【解決手段】情報配信装置１０２が位置情報を受信する位置情報受信手段１６１と、位置情報に応じて地域の言語に関する地域言語情報を提供する地域言語情報提供手段１７０と、地域言語情報および配信情報を配信する配信手段１９１とを有し、位置検出装置１０から得られた位置情報を送信する情報端末装置１０１が、位置検出装置１０から位置情報を取得する位置情報取得手段１１１と、位置情報を送信する位置情報送信手段１２１と、地域言語情報および配信情報を受信する配信情報受信手段１３１と、地域言語情報に基づいて配信情報を音声合成する音声合成手段１４２と、音声合成手段１４２によって音声合成された配信情報に応じて合成音声を出力する合成音声出力手段１４３とを有して構成される。【選択図】  図１
2004171196.tif 000002
【特許請求の範囲】
【請求項１】
位置に関する位置情報をネットワーク経由で送信する情報端末装置と、前記情報端末装置から送信された位置情報を前記ネットワーク経由で受信して前記位置情報に応じた音声情報を前記情報端末装置に前記ネットワーク経由で配信する情報配信装置とを備え、前記情報配信装置は、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを有し、前記情報端末装置は、前記位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを有することを特徴とする情報配信システム。
【請求項２】
前記地域言語情報は、地名読みに関する地名読み情報を含むことを特徴とする請求項１に記載の情報配信システム。
【請求項３】
前記地域言語情報は、方言に関する方言情報を含むことを特徴とする請求項１又は請求項２に記載の情報配信システム。
【請求項４】
前記情報配信装置は、前記情報端末装置から送信された前記音声情報から翻訳可能な複数の他国語のうち１つを選択するための翻訳選択情報を前記ネットワーク経由で受信する翻訳情報受信手段と、前記翻訳情報受信手段によって受信された翻訳選択情報に応じて前記地域言語情報を構成する他国言語辞書を提供する他国言語辞書提供手段とをさらに有し、前記配信手段は、前記他国言語辞書提供手段によって提供された他国言語辞書を前記情報端末装置に前記ネットワーク経由で配信し、前記情報端末装置は、前記翻訳選択情報を入力させる翻訳選択情報入力手段と、前記翻訳選択情報入力手段によって入力された翻訳選択情報を前記情報配信装置に前記ネットワーク経由で送信する翻訳選択情報送信手段と、前記情報配信装置によって配信された他国言語辞書を前記ネットワーク経由で受信する他国言語辞書受信手段と、前記他国言語辞書受信手段によって受信された他国言語辞書を格納する他国言語辞書格納手段と、前記他国言語辞書格納手段によって格納された他国言語辞書に基づいて前記音声情報を翻訳する配信情報翻訳手段と、前記配信情報翻訳手段によって翻訳された音声情報からなる翻訳配信情報を表示する翻訳配信情報表示手段とをさらに有することを特徴とする請求項１に記載の情報配信システム。
【請求項５】
前記情報配信装置は、前記情報端末装置から送信された前記翻訳配信情報を音声合成するための翻訳音声合成情報を前記ネットワーク経由で受信する翻訳音声合成情報受信手段と、前記翻訳音声合成情報受信手段によって受信された翻訳音声合成情報に応じて前記地域言語情報を構成する他国言語音声素片情報を提供する他国言語音声素片情報提供手段とをさらに有し、前記配信手段は、前記他国言語音声素片情報提供手段によって提供された他国言語音声素片情報を前記情報端末装置に前記ネットワーク経由で配信し、前記情報端末装置は、前記翻訳音声合成情報を入力させる翻訳音声合成情報入力手段と、前記翻訳音声合成情報入力手段によって入力された翻訳音声合成情報を前記情報配信装置に前記ネットワーク経由で送信する翻訳音声合成情報送信手段と、前記情報配信装置によって配信された他国言語音声素片情報を前記ネットワーク経由で受信する他国言語音声素片情報受信手段と、前記他国言語音声素片情報受信手段によって受信された他国言語音声素片情報を格納する他国言語音声素片情報格納手段とをさらに有し、前記配信情報翻訳手段は、前記他国言語辞書格納手段によって格納された他国言語辞書に基づいて前記音声情報を翻訳し、前記音声合成手段は、前記他国言語音声素片情報格納手段によって格納された他国言語音声素片情報に基づいて前記翻訳配信情報を音声合成し、前記合成音声出力手段は、前記音声合成手段によって音声合成された翻訳配信情報に応じて合成音声を出力することを特徴とする請求項４に記載の情報配信システム。
【請求項６】
前記情報配信装置は、前記情報端末装置から送信された合成音声の嗜好に関する音声嗜好情報を前記ネットワーク経由で受信する音声嗜好情報受信手段と、前記音声嗜好情報受信手段によって受信された音声嗜好情報に応じて音声素片情報を提供する音声素片情報提供手段と、前記音声素片情報提供手段によって提供された音声素片情報を前記情報端末装置に前記ネットワーク経由で配信する音声素片情報配信手段とをさらに有し、前記情報端末装置は、前記音声嗜好情報を入力させる音声嗜好情報入力手段と、前記音声嗜好情報入力手段によって入力された音声嗜好情報を前記情報配信装置に前記ネットワーク経由で送信する音声嗜好情報送信手段と、前記情報配信装置によって配信された音声素片情報を前記ネットワーク経由で受信する音声素片情報受信手段と、前記音声素片情報受信手段によって受信された音声素片情報を格納する音声素片情報格納手段とをさらに有し、前記音声合成手段は、前記音声素片情報格納手段によって格納された音声素片情報に基づいて前記音声合成情報を音声合成し、前記合成音声出力手段は、前記音声合成手段によって音声合成された音声合成情報に応じて合成音声を出力することを特徴とする請求項１乃至請求項５の何れかに記載の情報配信システム。
【請求項７】
前記情報配信装置は、前記情報端末装置から送信された合成音声を発声するキャラクタ画像の嗜好に関する画像嗜好情報を前記ネットワーク経由で受信する画像嗜好情報受信手段と、前記画像嗜好情報受信手段によって受信された画像嗜好情報に応じてキャラクタ画像情報を提供するキャラクタ画像情報提供手段と、前記キャラクタ画像情報提供手段によって提供されたキャラクタ画像情報を前記情報端末装置に前記ネットワーク経由で配信するキャラクタ画像情報配信手段とをさらに有し、前記情報端末装置は、前記画像嗜好情報を入力させる画像嗜好情報入力手段と、前記画像嗜好情報入力手段によって入力された画像嗜好情報を前記情報配信装置に前記ネットワーク経由で送信する画像嗜好情報送信手段と、前記情報配信装置によって配信されたキャラクタ画像情報を前記ネットワーク経由で受信するキャラクタ画像情報受信手段と、前記嗜好情報受信手段によって受信されたキャラクタ画像情報に応じてキャラクタ画像を表示する表示手段とをさらに有することを特徴とする請求項１乃至請求項６の何れかに記載の情報配信システム。
【請求項８】
位置に関する位置情報をネットワーク経由で送信する情報端末装置から送信された位置情報を前記ネットワーク経由で受信して前記位置情報に応じた音声情報を前記情報端末装置に前記ネットワーク経由で配信する情報配信装置であって、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを備えたことを特徴とする情報配信装置。
【請求項９】
位置に関する位置情報に応じた地域の言語に関する地域言語情報をネットワーク経由で配信する情報配信装置から地域言語情報を受信する情報端末装置であって、前記位置検出装置から得られた位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報および前記音声情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを備えたことを特徴とする情報端末装置。
【発明の詳細な説明】
【０００１】
【発明の属する技術分野】
本発明は、地域に関する情報の送受をネットワーク経由で行う情報配信システム、情報配信装置、および情報端末装置に関する。
【０００２】
【従来の技術】
従来の情報配信システムとしては、配信情報が蓄積される配信情報データベースおよび配信情報を配信する情報配信サーバを有する情報配信サイトと、汎地球測位システムを利用する携帯端末機とを備え、情報配信サイトは、携帯端末機が送信した位置する地点の位置情報をネットワーク経由で受信し、情報配信サイトによって受信された位置情報に応じた特定の配信情報を配信情報データベースから検索して携帯端末機に送信するものが知られている（例えば、特許文献１参照。）。
【０００３】
【特許文献１】
特開２００１−２１７７８９号公報（１９段落目−２７段落目、図１）
【０００４】
【発明が解決しようとする課題】
しかしながら、上述の従来の情報配信システムでは、位置情報に応じた特定の配信情報に、地名読みに関する地名読みまたは方言などの地域に関する言語が含まれて読み上げられたとき、利用者が配信情報を正確に理解することは困難になってしまうという問題があった。例えば、東京都の日本橋「にほんばし」と大阪府の日本橋「にっぽんばし」のように表記が同じでも読み方が異なる言葉が配信情報に含まれて読み上げられたとき、利用者は、日本橋が東京都の日本橋なのか大阪府の日本橋なのかを正確に理解することは困難になってしまうという問題があった。
本発明は、このような従来の問題を解決するためになされたもので、位置情報に応じた特定の配信情報に地域言語が含まれたとき、利用者が配信情報を正確に理解することを容易にする情報配信システム、情報配信装置、および情報端末装置を提供するものである。
【０００５】
【課題を解決するための手段】
本発明の情報配信システムは、位置に関する位置情報をネットワーク経由で送信する情報端末装置と、前記情報端末装置から送信された位置情報を前記ネットワーク経由で受信して前記位置情報に応じた音声情報を前記情報端末装置に前記ネットワーク経由で配信する情報配信装置とを備え、前記情報配信装置は、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを有し、前記情報端末装置は、前記位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを備えた構成を有している。
この構成により、情報配信装置が位置情報に応じた地域の言語に関する地域言語情報を提供し、情報端末装置が提供された地域言語情報に基づいて配信情報を音声合成するため、位置情報に応じた特定の配信情報に地域言語が含まれたとき、利用者が配信情報を正確に理解することを容易にすることができる。
【０００６】
また、本発明の情報配信システムは、位置に関する位置情報をネットワーク経由で送信する情報端末装置と、前記情報端末装置から送信された位置情報を前記ネットワーク経由で受信して前記位置情報に応じた音声情報を前記情報端末装置に前記ネットワーク経由で配信する情報配信装置とを備え、前記情報配信装置は、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを有し、前記情報端末装置は、前記位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを備え、さらに、前記地域言語情報は、地名読みに関する地名読み情報を含む構成を有している。
この構成により、情報配信装置が位置情報に応じた地域言語情報を構成する地名読み情報を提供し、情報端末装置が提供された地名読み情報に基づいて配信情報を音声合成するため、位置情報に応じた特定の配信情報に読み方が困難な地名が含まれたとき、情報端末装置が誤読することを防止し、利用者に正確な読み方を伝えることができる。
【０００７】
また、本発明の情報配信システムは、位置に関する位置情報をネットワーク経由で送信する情報端末装置と、前記情報端末装置から送信された位置情報を前記ネットワーク経由で受信して前記位置情報に応じた音声情報を前記情報端末装置に前記ネットワーク経由で配信する情報配信装置とを備え、前記情報配信装置は、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを有し、前記情報端末装置は、前記位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを備え、さらに、前記地域言語情報は、方言に関する方言情報を含む構成を有している。
この構成により、情報配信装置が位置情報に応じた地域言語情報を構成する方言情報を提供し、情報端末装置が提供された方言情報に基づいて配信情報を音声合成するため、位置情報に応じた特定の配信情報を利用者に臨場感をもって伝えることができる。
【０００８】
また、本発明の情報配信システムは、前記情報配信装置が、前記情報端末装置から送信された前記音声情報から翻訳可能な複数の他国語のうち１つを選択するための翻訳選択情報を前記ネットワーク経由で受信する翻訳情報受信手段と、前記翻訳情報受信手段によって受信された翻訳選択情報に応じて前記地域言語情報を構成する他国言語辞書を提供する他国言語辞書提供手段とをさらに有し、前記配信手段は、前記他国言語辞書提供手段によって提供された他国言語辞書を前記情報端末装置に前記ネットワーク経由で配信し、前記情報端末装置が、前記翻訳選択情報を入力させる翻訳選択情報入力手段と、前記翻訳選択情報入力手段によって入力された翻訳選択情報を前記情報配信装置に前記ネットワーク経由で送信する翻訳選択情報送信手段と、前記情報配信装置によって配信された他国言語辞書を前記ネットワーク経由で受信する他国言語辞書受信手段と、前記他国言語辞書受信手段によって受信された他国言語辞書を格納する他国言語辞書格納手段と、前記他国言語辞書格納手段によって格納された他国言語辞書に基づいて前記音声情報を翻訳する配信情報翻訳手段と、前記配信情報翻訳手段によって翻訳された音声情報からなる翻訳配信情報を表示する翻訳配信情報表示手段とを備えた構成を有している。
この構成により、情報配信装置が位置情報に応じた地域言語情報を構成する他国言語辞書を提供し、情報端末装置が提供された他国言語辞書に基づいて配信情報を翻訳した翻訳配信情報を表示するため、位置情報に応じた特定の配信情報を利用者が嗜好する言語の字幕で見ることができる。
【０００９】
また、本発明の情報配信システムは、前記情報配信装置が、前記情報端末装置から送信された前記翻訳配信情報を音声合成するための翻訳音声合成情報を前記ネットワーク経由で受信する翻訳音声合成情報受信手段と、前記翻訳音声合成情報受信手段によって受信された翻訳音声合成情報に応じて前記地域言語情報を構成する他国言語音声素片情報を提供する他国言語音声素片情報提供手段とをさらに有し、前記配信手段は、前記他国言語音声素片情報提供手段によって提供された他国言語音声素片情報を前記情報端末装置に前記ネットワーク経由で配信し、前記情報端末装置が、前記翻訳音声合成情報を入力させる翻訳音声合成情報入力手段と、前記翻訳音声合成情報入力手段によって入力された翻訳音声合成情報を前記情報配信装置に前記ネットワーク経由で送信する翻訳音声合成情報送信手段と、前記情報配信装置によって配信された他国言語音声素片情報を前記ネットワーク経由で受信する他国言語音声素片情報受信手段と、前記他国言語音声素片情報受信手段によって受信された他国言語音声素片情報を格納する他国言語音声素片情報格納手段とをさらに有し、前記配信情報翻訳手段は、前記他国言語辞書格納手段によって格納された他国言語辞書に基づいて前記音声情報を翻訳し、前記音声合成手段は、前記他国言語音声素片情報格納手段によって格納された他国言語音声素片情報に基づいて前記翻訳配信情報を音声合成し、前記合成音声出力手段は、前記音声合成手段によって音声合成された翻訳配信情報に応じて合成音声を出力する構成を有している。
この構成により、情報配信装置が位置情報に応じた地域言語情報を構成する他国言語音声素片情報を提供し、情報端末装置が提供された他国言語音声素片情報に基づいて翻訳配信情報を音声合成するため、位置情報に応じた特定の配信情報を利用者が嗜好する言語で聴取することができる。
【００１０】
また、本発明の情報配信システムは、前記情報配信装置が、前記情報端末装置から送信された合成音声の嗜好に関する音声嗜好情報を前記ネットワーク経由で受信する音声嗜好情報受信手段と、前記音声嗜好情報受信手段によって受信された音声嗜好情報に応じて音声素片情報を提供する音声素片情報提供手段と、前記音声素片情報提供手段によって提供された音声素片情報を前記情報端末装置に前記ネットワーク経由で配信する音声素片情報配信手段とをさらに有し、前記情報端末装置が、前記音声嗜好情報を入力させる音声嗜好情報入力手段と、前記音声嗜好情報入力手段によって入力された音声嗜好情報を前記情報配信装置に前記ネットワーク経由で送信する音声嗜好情報送信手段と、前記情報配信装置によって配信された音声素片情報を前記ネットワーク経由で受信する音声素片情報受信手段と、前記音声素片情報受信手段によって受信された音声素片情報を格納する音声素片情報格納手段とをさらに有し、前記音声合成手段は、前記音声素片情報格納手段によって格納された音声素片情報に基づいて前記音声合成情報を音声合成し、前記合成音声出力手段は、前記音声合成手段によって音声合成された音声合成情報に応じて合成音声を出力する構成を有している。
この構成により、情報配信装置が利用者が指定する音声嗜好情報に応じた音声素片情報を提供し、情報端末装置が提供された音声素片情報に基づいて配信情報を音声合成するため、位置情報に応じた特定の配信情報を利用者が嗜好する音声で聴取することができる。
【００１１】
また、本発明の情報配信システムは、前記情報配信装置が、前記情報端末装置から送信された合成音声を発声するキャラクタ画像の嗜好に関する画像嗜好情報を前記ネットワーク経由で受信する画像嗜好情報受信手段と、前記画像嗜好情報受信手段によって受信された画像嗜好情報に応じてキャラクタ画像情報を提供するキャラクタ画像情報提供手段と、前記キャラクタ画像情報提供手段によって提供されたキャラクタ画像情報を前記情報端末装置に前記ネットワーク経由で配信するキャラクタ画像情報配信手段とをさらに有し、前記情報端末装置が、前記画像嗜好情報を入力させる画像嗜好情報入力手段と、前記画像嗜好情報入力手段によって入力された画像嗜好情報を前記情報配信装置に前記ネットワーク経由で送信する画像嗜好情報送信手段と、前記情報配信装置によって配信されたキャラクタ画像情報を前記ネットワーク経由で受信するキャラクタ画像情報受信手段と、前記嗜好情報受信手段によって受信されたキャラクタ画像情報に応じてキャラクタ画像を表示する表示手段とをさらに備えた構成を有している。
この構成により、情報配信装置が利用者が指定する画像嗜好情報に応じたキャラクタ画像情報を提供し、情報端末装置が提供されたキャラクタ画像情報に応じてキャラクタ画像を表示すると共に位置情報に応じた特定の配信情報を音声合成するため、位置情報に応じた特定の配信情報を利用者の嗜好に応じて視聴することができる。
【００１２】
本発明の情報配信装置は、位置に関する位置情報をネットワーク経由で送信する情報端末装置から送信された位置情報を前記ネットワーク経由で受信して前記位置情報に応じた音声情報を前記情報端末装置に前記ネットワーク経由で配信する情報配信装置であって、前記情報端末装置から送信された位置情報を前記ネットワーク経由で受信する位置情報受信手段と、前記位置情報受信手段によって受信された位置情報に応じた地域の言語に関する地域言語情報を提供する地域言語情報提供手段と、前記地域言語情報提供手段によって提供された地域言語情報を前記情報端末装置に前記ネットワーク経由で配信する配信手段とを備えた構成を有している。
この構成により、位置情報に応じた地域の言語に関する地域言語情報を提供し、情報端末装置が提供された地域言語情報に基づいて配信情報を音声合成するため、位置情報に応じた特定の配信情報に地域言語が含まれたとき、利用者が配信情報を正確に理解することを容易にすることができる。
【００１３】
本発明の情報端末装置は、位置に関する位置情報に応じた地域の言語に関する地域言語情報をネットワーク経由で配信する情報配信装置から地域言語情報を受信する情報端末装置であって、前記位置検出装置から得られた位置情報を取得する位置情報取得手段と、前記位置情報取得手段によって取得された位置情報を前記情報配信装置に前記ネットワーク経由で送信する位置情報送信手段と、前記情報配信装置によって配信された地域言語情報および前記音声情報を前記ネットワーク経由で受信する配信情報受信手段と、前記配信情報受信手段によって受信された地域言語情報に基づいて前記音声情報を音声合成する音声合成手段と、前記音声合成手段によって音声合成された音声情報に応じて合成音声を出力する合成音声出力手段とを備えた構成を有している。
この構成により、情報配信装置が位置情報に応じた地域の言語に関する地域言語情報を提供し、提供された地域言語情報に基づいて配信情報を音声合成するため、位置情報に応じた特定の配信情報に地域言語が含まれたとき、利用者が配信情報を正確に理解することを容易にすることができる。
【００１４】
【発明の実施の形態】
以下、本発明の実施の形態について、図面を参照して説明する。
（第１の実施の形態）
図１は、本発明の第１の実施の形態に係る情報配信システムのシステム構成を示すブロック構成図である。本発明の第１の実施の形態に係る情報配信システム１００は、位置検出装置１０から得られた位置情報をネットワーク２０経由で送信する情報端末装置１０１と、情報端末装置１０１から送信された位置情報をネットワーク２０経由で受信して位置情報に応じた音声情報を情報端末装置１０１にネットワーク２０経由で配信する情報配信装置１０２とを含むように構成される。例えば、位置検出装置１０は、汎地球測位システム（ＧＰＳ：  Ｇｌｏｂａｌ  Ｐｏｓｉｔｉｏｎｉｎｇ  Ｓｙｓｔｅｍ）を用いて、情報端末装置１０１が移動中でも現在位置を検出し、検出した現在位置を表す位置情報を生成し、生成された位置情報を一定時間毎に送信するようになっている。なお、音声情報は、音声合成するための文字情報を含み、配信情報を構成する。
【００１５】
なお、情報端末装置１０１は、インターネット上で通信可能な携帯端末や自動車に搭載されるコンピュータを含み、情報配信装置１０２は、インターネットサービスプロバイダが提供するインターネット上の情報配信サーバを含む。情報端末装置１０１と情報配信装置１０２との通信形態は有線、無線を問わない。また、情報配信装置１０２は、配信情報を少なくとも１つの情報端末装置１０１に配信する。
【００１６】
情報配信装置１０２は、情報端末装置１０１から送信された情報をネットワーク２０経由で受信する受信手段１６０、位置情報に応じた配信情報を提供する配信情報提供手段１６４、位置情報に応じた地域の言語に関する地域言語情報を提供する地域言語情報提供手段１７０、音声素片情報やキャラクタ画像情報などの付加情報を提供する付加情報提供手段１８０、および種々の情報を情報端末装置１０１にネットワーク２０経由で送信する送信手段１９０を含むように構成される。
【００１７】
受信手段１６０は、位置情報を受信する位置情報受信手段１６１、合成音声の嗜好に関する音声嗜好情報を受信する音声嗜好情報受信手段１６２、および合成音声を発声するキャラクタ画像の嗜好に関する画像嗜好情報を受信する画像嗜好情報受信手段１６３を含むように構成される。
【００１８】
地域言語情報提供手段１７０は、受信手段１６０によって受信された位置情報に応じた地域言語情報を構成する地名読みに関する地名読み情報を提供する地名読み情報提供手段１７１および受信手段１６０によって受信された位置情報に応じた地域言語情報を構成する方言情報を提供する方言情報提供手段１７２を含むように構成される。
【００１９】
付加情報提供手段１８０は、受信手段１６０によって受信された音声嗜好情報に応じて音声素片情報を提供する音声素片情報提供手段１８１および受信手段１６０によって受信された画像嗜好情報に応じてキャラクタ画像情報を提供するキャラクタ画像情報提供手段１８２を含むように構成される。
【００２０】
送信手段１９０は、地域言語情報提供手段１７０および配信情報提供手段１６４によって提供された地域言語情報および配信情報を配信する配信手段１９１と、付加情報提供手段１８０によって提供された音声素片情報を配信する音声素片情報配信手段１９２と、および付加情報提供手段１８０によって提供されたキャラクタ画像情報を配信するキャラクタ画像情報配信手段１９３とを含むように構成される。
【００２１】
情報端末装置１０１は、位置検出装置１０から位置情報を取得する位置情報取得手段１１１、音声嗜好情報を入力させる音声嗜好情報入力手段１１２、画像嗜好情報を入力させる画像嗜好情報入力手段１１３、種々の情報を情報配信装置１０２にネットワーク２０経由で送信する送信手段１２０、情報配信装置１０２から送信された情報をネットワーク２０経由で受信する受信手段１３０、地名読み情報または方言情報に基づいて配信情報を音声合成情報に変換する配信情報変換手段１４０、受信手段１３０によって受信された地域言語情報に基づいて配信情報を音声合成する音声合成手段１４２、音声合成手段１４２によって音声合成された配信情報に応じて合成音声を出力する合成音声出力手段１４３、音声素片情報を格納する音声素片情報格納手段１５１、キャラクタ画像情報に応じてキャラクタ画像を表示する表示手段１５２、および配信情報を格納する配信情報格納手段１５３を含むように構成される。
【００２２】
送信手段１２０は、位置情報取得手段１１１によって取得された位置情報を送信する位置情報送信手段１２１、音声嗜好情報入力手段１１２によって入力された音声嗜好情報を送信する音声嗜好情報送信手段１２２、および画像嗜好情報入力手段１１３によって入力された画像嗜好情報を送信する画像嗜好情報送信手段１２３を含むように構成される。
【００２３】
受信手段１３０は、地域言語情報および配信情報を受信する配信情報受信手段１３１、音声素片情報を受信する音声素片情報受信手段１３２、およびキャラクタ画像情報を受信するキャラクタ画像情報受信手段１３３を含むように構成される。
【００２４】
位置情報受信手段１６１は、情報端末装置１０１から送信された位置情報をネットワーク２０経由で受信し、受信された位置情報を地域言語情報提供手段１７０に出力するようになっている。
【００２５】
音声嗜好情報受信手段１６２は、情報端末装置１０１から送信された合成音声の嗜好に関する音声嗜好情報をネットワーク２０経由で受信し、受信された音声嗜好情報を付加情報提供手段１８０に出力するようになっている。
【００２６】
画像嗜好情報受信手段１６３は、情報端末装置１０１から送信された合成音声を発声するキャラクタ画像の嗜好に関する画像嗜好情報をネットワーク２０経由で受信し、受信された音声嗜好情報を付加情報提供手段１８０に出力するようになっている。
【００２７】
配信情報提供手段１６４には、受信手段１６０によって出力された位置情報が入力され、配信情報提供手段１６４は、入力された位置情報に応じた配信情報を提供し、提供された配信情報を送信手段１９０に出力するようになっている。なお、本実施形態においては、配信情報は、例えば行政区画や緯線経線で区切られた範囲に含まれる予め決められた地域に関する飲食店の情報、天気予報情報、交通情報である。
【００２８】
地名読み情報提供手段１７１には、受信手段１６０によって出力された位置情報が入力され、地名読み情報提供手段１７１は、入力された位置情報に応じた地域言語情報を構成する地名読みに関する地名読み情報を提供し、提供された地名読み情報を送信手段１９０に出力するようになっている。なお、本実施形態においては、地名読み情報は、予め決められた地域内の地名読みに関する情報であり、例えば東京都の日本橋「にほんばし」と大阪府の日本橋「にっぽんばし」のように表記が同じでも読み方が異なる地名読みに関する情報であり、また、地名読み情報は、高田屋「たかだや」と高田屋「たかたや」のように表記が同じでも読み方が異なる店舗名も含み、地域独特の山川に関する名称の読みに関する情報も含む。
【００２９】
方言情報提供手段１７２には、受信手段１６０によって出力された位置情報が入力され、方言情報提供手段１７２は、入力された位置情報に応じた地域言語情報を構成する方言情報を提供し、提供された方言情報を送信手段１９０に出力するようになっている。なお、本実施形態においては、方言情報は、例えば行政区画や緯線経線で区切られた範囲に含まれる予め決められた地域毎に存在する方言に関する情報である。
【００３０】
音声素片情報提供手段１８１には、受信手段１６０によって出力された音声嗜好情報が入力され、音声素片情報提供手段１８１は、入力された音声嗜好情報に応じて音声素片情報を提供し、提供された音声素片情報を送信手段１９０に出力するようになっている。なお、本実施形態においては、音声素片情報は、配信情報を読み上げる話者の音声に関する情報である。例えば、音声嗜好情報に女性が発する声を選択するための情報が示されていたときには、音声素片情報提供手段１８１は、女性が発する声の音声素片情報を提供するようになっている。
【００３１】
キャラクタ画像情報提供手段１８２には、受信手段１６０によって出力された画像嗜好情報が入力され、キャラクタ画像情報提供手段１８２は、入力された画像嗜好情報に応じてキャラクタ画像情報を提供し、提供されたキャラクタ画像情報を送信手段１９０に出力するようになっている。例えば、画像嗜好情報に漫画キャラクタの画像を選択するための情報が示されていたときには、キャラクタ画像情報提供手段１８２は、漫画キャラクタの画像を表すキャラクタ画像情報を提供するようになっている。
【００３２】
配信手段１９１には、配信情報提供手段１６４によって出力された配信情報が入力され、配信手段１９１は、入力された配信情報を情報端末装置１０１にネットワーク２０経由で配信するようになっている。また、配信手段１９１には、地域言語情報提供手段１７０によって出力された地域言語情報を構成する地名読み情報および方言情報が入力され、配信手段１９１は、入力された地域言語情報を情報端末装置１０１にネットワーク２０経由で配信するようになっている。
【００３３】
音声素片情報配信手段１９２には、付加情報提供手段１８０によって出力された音声素片情報が入力され、音声素片情報配信手段１９２は、入力された音声素片情報を情報端末装置１０１にネットワーク２０経由で配信するようになっている。
【００３４】
キャラクタ画像情報配信手段１９３には、付加情報提供手段１８０によって出力されたキャラクタ画像情報が入力され、キャラクタ画像情報配信手段１９３は、入力されたキャラクタ画像情報を情報端末装置１０１にネットワーク２０経由で配信するようになっている。
【００３５】
位置情報取得手段１１１は、位置検出装置１０から位置情報を取得し、取得された位置情報を送信手段１２０に出力するようになっている。例えば、位置検出装置１０は、汎地球測位システム（ＧＰＳ：  Ｇｌｏｂａｌ  Ｐｏｓｉｔｉｏｎｉｎｇ  Ｓｙｓｔｅｍ）を用いて、情報端末装置１０１が移動中でも現在位置を検出し、検出した現在位置を表す位置情報を生成し、位置情報取得手段１１１は、位置検出装置１０から生成された位置情報を取得し、取得された位置情報を一定時間毎に送信手段１２０に出力するようになっている。また、位置情報取得手段１１１は、利用者の情報入力に応じて位置情報を生成し、生成された位置情報を送信手段１２０に出力するようにしてもよい。
【００３６】
音声嗜好情報入力手段１１２は、例えば、キーボード、ボタン、スイッチなどの入力機器の操作に応じて合成音声の嗜好に関する音声嗜好情報を入力させ、入力された音声嗜好情報を送信手段１２０に出力するようになっている。なお、本実施形態においては、音声嗜好情報は、利用者の嗜好に応じた男声が発する声や女性が発する声などを選択するための情報である。
【００３７】
画像嗜好情報入力手段１１３は、入力機器の操作に応じて合成音声を発声するキャラクタ画像の嗜好に関する画像嗜好情報を入力させ、入力された画像嗜好情報を送信手段１２０に出力するようになっている。なお、本実施形態においては、画像嗜好情報は、利用者の嗜好に応じた動物や漫画キャラクタの画像などを選択するための情報である。
【００３８】
位置情報送信手段１２１には、位置情報取得手段１１１によって出力された位置情報が入力され、位置情報送信手段１２１は、入力された位置情報を情報配信装置１０２にネットワーク２０経由で送信するようになっている。
【００３９】
音声嗜好情報送信手段１２２には、音声嗜好情報入力手段１１２によって出力された音声嗜好情報が入力され、音声嗜好情報送信手段１２２は、入力された音声嗜好情報を情報配信装置１０２にネットワーク２０経由で送信するようになっている。
【００４０】
画像嗜好情報送信手段１２３には、画像嗜好情報入力手段１１３によって出力された画像嗜好情報が入力され、画像嗜好情報送信手段１２３は、入力された画像嗜好情報を情報配信装置１０２にネットワーク２０経由で送信するようになっている。
【００４１】
配信情報受信手段１３１は、情報配信装置１０２によって配信された配信情報をネットワーク２０経由で受信し、受信された配信情報を配信情報変換手段１４０および配信情報格納手段１５３に出力するようになっている。また、配信情報受信手段１３１は、情報配信装置１０２によって配信された地域言語情報をネットワーク２０経由で受信し、受信された地域言語情報を配信情報変換手段１４０に出力するようになっている。なお、本実施形態において、配信情報受信手段１３１は、配信情報格納手段１５３に予め格納された配信情報を配信情報変換手段１４０に出力するようにしてもよい。
【００４２】
音声素片情報受信手段１３２は、情報配信装置１０２によって配信された音声素片情報をネットワーク２０経由で受信し、受信された音声素片情報を音声素片情報格納手段１５１に出力するようになっている。
【００４３】
キャラクタ画像情報受信手段１３３は、情報配信装置１０２によって配信されたキャラクタ画像情報をネットワーク２０経由で受信し、受信されたキャラクタ画像情報を表示手段１５２に出力するようになっている。
【００４４】
配信情報変換手段１４０は、配信情報を音声合成情報に変換する言語辞書１４１を有する。配信情報変換手段１４０には、受信手段１３０によって出力された地域言語情報が入力され、配信情報変換手段１４０は、入力された地域言語情報を構成する地名読み情報または方言情報を言語辞書１４１に登録させるようになっている。また、配信情報変換手段１４０には、受信手段１３０によって出力された配信情報が入力され、配信情報変換手段１４０は、地域言語情報を構成する地名読み情報または方言情報が登録された言語辞書１４１を用いて、入力された配信情報を音声合成情報に変換し、変換された音声合成情報を音声合成手段１４２に出力するようになっている。なお、本実施形態においては、配信情報変換手段１４０は、入力された地域言語情報を構成する地名読み情報と方言情報の双方を言語辞書１４１に登録させ、地名読み情報と方言情報の双方が登録された言語辞書１４１を用いて、配信情報を音声合成情報に変換するようにしてもよい。
【００４５】
音声合成手段１４２には、配信情報変換手段１４０によって出力された音声合成情報が入力され、音声合成手段１４２は、音声素片情報格納手段１５１によって格納された音声素片情報に基づいて、入力された音声合成情報を音声合成するようになっている。なお、本実施形態においては、音声合成手段１４２は、受信手段１３０によって出力された地域言語情報に基づいて配信情報を音声合成するようにしてもよい。
【００４６】
合成音声出力手段１４３には、音声合成手段１４２によって出力された音声合成情報が入力され、合成音声出力手段１４３は、入力された音声合成情報に応じて合成音声を出力するようになっている。
【００４７】
音声素片情報格納手段１５１には、受信手段１３０によって出力された音声素片情報が入力され、音声素片情報格納手段１５１は、入力された音声素片情報を格納するようになっている。
【００４８】
表示手段１５２には、キャラクタ画像情報受信手段１３３によって出力されたキャラクタ画像情報が入力され、表示手段１５２は、入力されたキャラクタ画像情報に応じてキャラクタ画像を画面に表示するようになっている。
【００４９】
配信情報格納手段１５３は、受信手段１３０によって出力された配信情報を格納するようになっている。
【００５０】
以下、本発明の第１の実施の形態に係る情報配信システム１００の動作について、図１を参照して説明する。
まず、ＧＰＳを用いて位置情報取得手段１１１によって取得された位置情報は、一定時間毎に送信手段１２０に出力され、送信手段１２０によってネットワーク２０経由で情報配信装置１０２に送信される。情報端末装置１０１から送信された位置情報は、受信手段１６０によって受信され、配信情報提供手段１６４および地域言語情報提供手段１７０に出力される。
【００５１】
地域言語情報を構成する地名読みに関する地名読み情報や方言情報は、地域言語情報提供手段１７０によって位置情報に応じて提供され、送信手段１９０によってネットワーク２０経由で情報端末装置１０１に送信される。
【００５２】
一方、行政区画や緯線経線で区切られた範囲に含まれる予め決められた地域に関する飲食店の情報、天気予報情報、交通情報などの配信情報は、配信情報提供手段１６４によって位置情報に応じて提供され、送信手段１９０によってネットワーク２０経由で情報端末装置１０１に送信される。
【００５３】
次に、情報配信装置１０２から送信された地域言語情報は、受信手段１３０によって受信され、配信情報変換手段１４０を構成する言語辞書１４１に登録される。情報配信装置１０２から送信された配信情報は、受信手段１３０によって受信され、配信情報変換手段１４０に出力される。
【００５４】
配信情報は、配信情報変換手段１４０によって地域言語情報を構成する地名読み情報または方言情報が登録された言語辞書１４１を用いて音声合成情報に変換され、音声合成情報は、音声合成手段１４２に出力される。また、音声合成情報は、音声素片情報格納手段１５１によって格納された音声素片情報に基づいて、音声合成手段１４２によって音声合成され、合成音声が合成音声出力手段１４３によって出力される。
【００５５】
ここで、情報端末装置１０１の入力機器の操作に応じて合成音声の嗜好に関する音声嗜好情報が音声嗜好情報入力手段１１２に入力されたとき、音声嗜好情報は、送信手段１２０によってネットワーク２０経由で情報配信装置１０２に送信される。情報端末装置１０１から送信された音声嗜好情報は、受信手段１６０によって受信され、付加情報提供手段１８０に出力される。音声素片情報は、付加情報提供手段１８０によって音声嗜好情報に応じて提供され、送信手段１９０によってネットワーク２０経由で情報端末装置１０１に送信される。情報配信装置１０２から送信された音声素片情報は、受信手段１３０によって受信され、音声素片情報格納手段１５１に格納される。
【００５６】
また、情報端末装置１０１の入力機器の操作に応じて合成音声を発声するキャラクタ画像の嗜好に関する画像嗜好情報が画像嗜好情報入力手段１１３に入力されたとき、画像嗜好情報は、送信手段１２０によってネットワーク２０経由で情報配信装置１０２に送信される。情報端末装置１０１から送信された画像嗜好情報は、受信手段１６０によって受信され、付加情報提供手段１８０に出力される。画像嗜好情報は、付加情報提供手段１８０によって画像嗜好情報に応じて提供され、送信手段１９０によってネットワーク２０経由で情報端末装置１０１に送信される。情報配信装置１０２から送信された画像嗜好情報は、受信手段１３０によって受信され、表示手段１５２によって画面に表示される。
【００５７】
以上説明したように、本発明の第１の実施の形態に係る情報配信システムは、情報配信装置が位置情報に応じた地域の言語に関する地域言語情報を提供し、情報端末装置が提供された地域言語情報に基づいて配信情報を音声合成するため、位置情報に応じた特定の配信情報に地域言語が含まれたとき、利用者が配信情報を正確に理解することを容易にすることができる。
また、情報配信装置が位置情報に応じた地域言語情報を構成する地名読み情報を提供し、情報端末装置が提供された地名読み情報に基づいて配信情報を音声合成するため、位置情報に応じた特定の配信情報に読み方が困難な地名が含まれたとき、情報端末装置が誤読することを防止し、利用者に正確な読み方を伝えることができる。
また、情報配信装置が位置情報に応じた地域言語情報を構成する方言情報を提供し、情報端末装置が提供された方言情報に基づいて配信情報を音声合成するため、位置情報に応じた特定の配信情報を利用者に臨場感をもって伝えることができる。
また、情報配信装置が利用者が指定する音声嗜好情報に応じた音声素片情報を提供し、情報端末装置が提供された音声素片情報に基づいて配信情報を音声合成するため、位置情報に応じた特定の配信情報を利用者が嗜好する音声で聴取することができる。
また、情報配信装置が利用者が指定する画像嗜好情報に応じたキャラクタ画像情報を提供し、情報端末装置が提供されたキャラクタ画像情報に応じてキャラクタ画像を表示すると共に位置情報に応じた特定の配信情報を音声合成するため、位置情報に応じた特定の配信情報を利用者の嗜好に応じて視聴することができる。
【００５８】
（第２の実施の形態）
図２は、本発明の第２の実施の形態に係る情報配信システムのシステム構成を示すブロック構成図である。本発明の第２の実施の形態に係る情報配信システム２００は、位置検出装置１０から得られた位置情報をネットワーク２０経由で送信する情報端末装置２０１と、情報端末装置２０１から送信された位置情報をネットワーク２０経由で受信して位置情報に応じた音声情報を情報端末装置２０１にネットワーク２０経由で配信する情報配信装置２０２とを含むように構成される。例えば、位置検出装置１０は、汎地球測位システム（ＧＰＳ：  Ｇｌｏｂａｌ  Ｐｏｓｉｔｉｏｎｉｎｇ  Ｓｙｓｔｅｍ）を用いて、情報端末装置２０１が移動中でも現在位置を検出し、検出した現在位置を表す位置情報を生成し、生成された位置情報を一定時間毎に送信するようになっている。なお、音声情報は、音声合成するための文字情報を含み、配信情報を構成する。
【００５９】
なお、情報端末装置２０１は、インターネット上で通信可能な携帯端末や自動車に搭載されるコンピュータを含み、情報配信装置２０２は、インターネットサービスプロバイダが提供するインターネット上の情報配信サーバを含む。情報端末装置２０１と情報配信装置２０２との通信形態は有線、無線を問わない。また、情報配信装置２０２は、配信情報を少なくとも１つの情報端末装置２０１に配信する。
【００６０】
また、本発明の第２の実施の形態に係る情報配信システム２００を構成する手段のうち、本発明の第１の実施の形態に係る情報配信システム１００を構成する手段と同一の手段には同一の符号を付し、それぞれの説明を省略する。
【００６１】
情報配信装置２０２は、情報端末装置２０１から送信された情報をネットワーク２０経由で受信する受信手段２６０、位置情報に応じた配信情報を提供する配信情報提供手段１６４、位置情報に応じた地域の言語に関する地域言語情報を提供する地域言語情報提供手段２７０、音声素片情報やキャラクタ画像情報などの付加情報を提供する付加情報提供手段１８０、および種々の情報を情報端末装置２０１にネットワーク２０経由で送信する送信手段２９０を含むように構成される。
【００６２】
受信手段２６０は、位置情報を受信する位置情報受信手段１６１、配信情報から翻訳可能な複数の他国語のうち１つを選択するための翻訳選択情報を受信する翻訳情報受信手段２６２、および翻訳配信情報を音声合成するための翻訳音声合成情報を受信する翻訳音声合成情報受信手段２６３を含むように構成される。
【００６３】
地域言語情報提供手段２７０は、翻訳選択情報に応じて地域言語情報を構成する他国言語辞書を提供する他国言語辞書提供手段２７１および翻訳音声合成情報に応じて地域言語情報を構成する他国言語音声素片情報を提供する他国言語音声素片情報提供手段２７２を含むように構成される。
【００６４】
送信手段２９０は、地域言語情報提供手段２７０および配信情報提供手段１６４によって提供された地域言語情報および配信情報を配信する配信手段２９１と、音声素片情報提供手段１８１によって提供された音声素片情報を配信する音声素片情報配信手段１９２と、およびキャラクタ画像情報提供手段１８２によって提供されたキャラクタ画像情報を配信するキャラクタ画像情報配信手段１９３とを含むように構成される。
【００６５】
情報端末装置２０１は、位置検出装置１０から位置情報を取得する位置情報取得手段１１１、翻訳選択情報を入力させる翻訳選択情報入力手段２１２、翻訳音声合成情報を入力させる翻訳音声合成情報入力手段２１３、種々の情報を情報配信装置２０２にネットワーク２０経由で送信する送信手段２２０、情報配信装置２０２から送信された情報をネットワーク２０経由で受信する受信手段２３０、受信手段２３０によって受信された他国言語辞書を格納する他国言語辞書格納手段２４１、他国言語辞書格納手段２４１によって格納された他国言語辞書に基づいて配信情報を翻訳する配信情報翻訳手段２５０、受信手段２３０によって受信された他国言語音声素片情報を格納する他国言語音声素片情報格納手段２５１、配信情報受信手段１３１によって受信された地域言語情報に基づいて配信情報を音声合成する音声合成手段１４２、音声合成手段１４２によって音声合成された配信情報に応じて合成音声を出力する合成音声出力手段１４３、配信情報翻訳手段２５０によって翻訳された配信情報からなる翻訳配信情報を表示する表示手段２５２、および配信情報を格納する配信情報格納手段１５３を含むように構成される。
【００６６】
送信手段２２０は、位置情報取得手段１１１によって取得された位置情報を送信する位置情報送信手段１２１、翻訳選択情報入力手段２１２によって入力された翻訳選択情報を送信する翻訳選択情報送信手段２２２、および翻訳音声合成情報入力手段２１３によって入力された翻訳音声合成情報を送信する翻訳音声合成情報送信手段２２３を含むように構成される。
【００６７】
受信手段２３０は、地域言語情報および配信情報を受信する配信情報受信手段１３１、他国言語辞書を受信する他国言語辞書受信手段２３４、他国言語音声素片情報を受信する他国言語音声素片情報受信手段２３２、およびキャラクタ画像情報を受信するキャラクタ画像情報受信手段１３３を含むように構成される。
【００６８】
翻訳情報受信手段２６２は、情報端末装置２０１から送信された配信情報から翻訳可能な複数の他国語のうち１つを選択するための翻訳選択情報をネットワーク２０経由で受信し、受信された翻訳選択情報を地域言語情報提供手段２７０に出力するようになっている。
【００６９】
翻訳音声合成情報受信手段２６３は、情報端末装置２０１から送信された翻訳配信情報を音声合成するための翻訳音声合成情報をネットワーク２０経由で受信し、受信された翻訳音声合成情報を地域言語情報提供手段２７０に出力するようになっている。
【００７０】
他国言語辞書提供手段２７１には、受信手段２３０によって出力された翻訳選択情報が入力され、他国言語辞書提供手段２７１は、入力された翻訳選択情報に応じて地域言語情報を構成する他国言語辞書を提供し、提供された他国言語辞書を送信手段２９０に出力するようになっている。なお、本実施形態においては、他国言語辞書提供手段２７１は、例えば、日本語、英語、および仏語に対応する言語辞書を格納するようになっており、英語を翻訳するための翻訳選択情報が入力されたとき、他国言語辞書提供手段２７１は、英語に対応する言語辞書を提供するようになっている。
【００７１】
他国言語音声素片情報提供手段２７２には、受信手段２３０によって出力された翻訳音声合成情報が入力され、他国言語音声素片情報提供手段２７２は、入力された翻訳音声合成情報に応じて地域言語情報を構成する他国言語音声素片情報を提供し、提供された他国言語音声素片情報を送信手段２９０に出力するようになっている。なお、本実施形態においては、他国言語音声素片情報提供手段２７２は、例えば、日本語、英語、および仏語に対応するイントネーションを含む他国言語音声素片情報を格納するようになっており、英語を音声合成するための翻訳音声合成情報が入力されたとき、他国言語音声素片情報提供手段２７２は、英語に対応する音声素片情報を提供するようになっている。
【００７２】
配信手段２９１には、配信情報提供手段１６４によって出力された配信情報が入力され、配信手段２９１は、入力された配信情報を情報端末装置２０１にネットワーク２０経由で配信するようになっている。また、配信手段２９１には、地域言語情報提供手段２７０によって出力された地域言語情報を構成する他国言語辞書および他国言語音声素片情報が入力され、配信手段２９１は、入力された地域言語情報を情報端末装置２０１にネットワーク２０経由で配信するようになっている。
【００７３】
翻訳選択情報入力手段２１２は、例えば、キーボード、ボタン、スイッチなどの入力機器の操作に応じて翻訳選択情報を入力させ、入力された翻訳選択情報を送信手段２２０に出力するようになっている。なお、本発明の情報配信システム２００は、例えば日本語、英語、および仏語の翻訳が可能であり、翻訳選択情報は、利用者の嗜好に応じてこれらの言語のうち１つを選択するための情報である。
【００７４】
翻訳音声合成情報入力手段２１３は、入力機器の操作に応じて翻訳音声合成情報を入力させ、入力された翻訳音声合成情報を送信手段２２０に出力するようになっている。なお、本発明の情報配信システム２００は、例えば日本語、英語、および仏語で音声合成が可能であり、翻訳音声合成情報は、本発明の利用者の嗜好に応じて指定され、指定された言語に翻訳された配信情報を音声合成するための情報である。
【００７５】
翻訳選択情報送信手段２２２には、翻訳選択情報入力手段２１２によって出力された翻訳選択情報が入力され、翻訳選択情報送信手段２２２は、入力された翻訳選択情報を情報配信装置２０２にネットワーク２０経由で送信するようになっている。
【００７６】
翻訳音声合成情報送信手段２２３には、翻訳音声合成情報入力手段２１３によって出力された翻訳音声合成情報が入力され、翻訳音声合成情報送信手段２２３は、入力された翻訳音声合成情報を情報配信装置２０２にネットワーク２０経由で送信するようになっている。
【００７７】
他国言語辞書受信手段２３４は、情報配信装置２０２によって配信された他国言語辞書をネットワーク２０経由で受信し、受信された他国言語辞書を他国言語辞書格納手段２４１に出力するようになっている。
【００７８】
他国言語音声素片情報受信手段２３２は、情報配信装置２０２によって配信された他国言語音声素片情報をネットワーク２０経由で受信し、受信された他国言語音声素片情報を他国言語音声素片情報格納手段２５１に出力するようになっている。
【００７９】
他国言語辞書格納手段２４１には、他国言語辞書受信手段２３４によって出力された他国言語辞書が入力され、他国言語辞書格納手段２４１は、入力された他国言語辞書を格納するようになっている。
【００８０】
配信情報翻訳手段２５０には、配信情報受信手段１３１によって出力された配信情報が入力され、配信情報翻訳手段２５０は、他国言語辞書格納手段２４１によって格納された他国言語辞書に基づいて、入力された配信情報を翻訳し、翻訳された配信情報からなる翻訳配信情報を表示手段２５２に出力するようになっている。また、配信情報翻訳手段２５０は、翻訳配信情報をさらに音声合成情報に変換し、変換された音声合成情報を音声合成手段１４２に出力するようになっている。
【００８１】
なお、本実施形態においては、配信情報翻訳手段２５０は、例えばテキスト形式の配信情報を公知のテキスト翻訳技術を用いて翻訳し、翻訳されたテキスト形式の配信情報を表示手段２５２に出力するようになっている。また、配信情報翻訳手段２５０は、翻訳されたテキスト形式の配信情報をさらに音声合成情報に変換し、変換された音声合成情報を音声合成手段１４２に出力するようになっている。また、配信情報翻訳手段２５０は、翻訳されたテキスト形式の配信情報を表示手段２５２に出力すると同時に、音声合成情報を音声合成手段１４２に出力するようにしてもよい。
【００８２】
他国言語音声素片情報格納手段２５１には、他国言語音声素片情報受信手段２３２によって出力された他国言語音声素片情報が入力され、他国言語音声素片情報格納手段２５１は、入力された他国言語音声素片情報を格納するようになっている。なお、本実施形態においては、音声合成手段１４２は、他国言語音声素片情報格納手段２５１によって格納された他国言語音声素片情報に基づいて音声合成情報を音声合成するようになっている。
【００８３】
表示手段２５２には、配信情報翻訳手段２５０によって出力された翻訳配信情報が入力され、表示手段２５２は、入力された翻訳配信情報を画面に表示するようになっている。なお、表示手段２５２は、本発明の翻訳配信情報表示手段を構成するものである。
【００８４】
以下、本発明の第２の実施の形態に係る情報配信システム２００の動作について、図２を参照して説明する。なお、情報配信システム２００の動作のうち、本発明の第１の実施の形態に係る情報配信システム１００の動作と同一の部分については、それぞれの説明を省略する。
【００８５】
まず、情報端末装置２０１の入力機器の操作に応じて翻訳選択情報が翻訳選択情報入力手段２１２に入力されたとき、翻訳選択情報は、送信手段２２０によってネットワーク２０経由で情報配信装置２０２に送信される。情報端末装置２０１から送信された翻訳選択情報は、受信手段２６０によって受信され、地域言語情報提供手段２７０に出力される。地域言語情報を構成する他国言語辞書は、地域言語情報提供手段２７０によって翻訳選択情報に応じて提供され、送信手段２９０によってネットワーク２０経由で情報端末装置２０１に送信される。情報配信装置２０２から送信された他国言語辞書は、受信手段２３０によって受信され、他国言語辞書格納手段２４１に格納される。
【００８６】
また、情報端末装置２０１の入力機器の操作に応じて翻訳音声合成情報が翻訳音声合成情報入力手段２１３に入力されたとき、翻訳音声合成情報は、送信手段２２０によってネットワーク２０経由で情報配信装置２０２に送信される。情報端末装置２０１から送信された翻訳音声合成情報は、受信手段２６０によって受信され、地域言語情報提供手段２７０に出力される。地域言語情報を構成する他国言語音声素片情報は、地域言語情報提供手段２７０によって翻訳音声合成情報に応じて提供され、送信手段２９０によってネットワーク２０経由で情報端末装置２０１に送信される。情報配信装置２０２から送信された他国言語音声素片情報は、受信手段２３０によって受信され、他国言語音声素片情報格納手段２５１に格納される。
【００８７】
一方、ＧＰＳを用いて位置情報取得手段１１１によって取得された位置情報は、一定時間毎に送信手段２２０に出力され、送信手段２２０によってネットワーク２０経由で情報配信装置２０２に送信される。情報端末装置２０１から送信された位置情報は、受信手段２６０によって受信され、配信情報提供手段１６４に出力される。行政区画や緯線経線で区切られた範囲に含まれる予め決められた地域に関する飲食店の情報、天気予報情報、交通情報などの配信情報は、配信情報提供手段１６４によって位置情報に応じて提供され、送信手段２９０によってネットワーク２０経由で情報端末装置２０１に送信される。
【００８８】
次に、情報配信装置２０２から送信された配信情報は、受信手段２３０によって受信され、配信情報翻訳手段２５０に出力され、他国言語辞書格納手段２４１によって格納された他国言語辞書に基づいて、配信情報翻訳手段２５０によって翻訳配信情報に翻訳され、翻訳配信情報は、表示手段２５２によって画面に表示される。
【００８９】
また、配信情報翻訳手段２５０によって翻訳配信情報に翻訳された翻訳配信情報は、音声合成手段１４２に出力される。音声合成情報は、他国言語音声素片情報格納手段２５１によって格納された他国言語音声素片情報に基づいて、音声合成手段１４２によって音声合成され、合成音声が合成音声出力手段１４３によって出力される。
【００９０】
以上説明したように、本発明の第２の実施の形態に係る情報配信システムは、情報配信装置が位置情報に応じた地域言語情報を構成する他国言語辞書を提供し、情報端末装置が提供された他国言語辞書に基づいて配信情報を翻訳した翻訳配信情報を表示するため、位置情報に応じた特定の配信情報を利用者が嗜好する言語の字幕で見ることができる。
また、情報配信装置が位置情報に応じた地域言語情報を構成する他国言語音声素片情報を提供し、情報端末装置が提供された他国言語音声素片情報に基づいて翻訳配信情報を音声合成するため、位置情報に応じた特定の配信情報を利用者が嗜好する言語で聴取することができる。
【００９１】
【発明の効果】
以上説明したように、本発明は、情報配信装置が位置情報に応じた地域の言語に関する地域言語情報を提供し、情報端末装置が提供された地域言語情報に基づいて配信情報を音声合成するため、位置情報に応じた特定の配信情報に地域言語が含まれたとき、利用者が配信情報を正確に理解することを容易にする情報配信システム、情報配信装置、および情報端末装置を提供するものである。
【図面の簡単な説明】
【図１】本発明の第１の実施の形態に係る情報配信システムのシステム構成を示すブロック構成図
【図２】本発明の第２の実施の形態に係る情報配信システムのシステム構成を示すブロック構成図
【符号の説明】
１０  位置検出装置
２０  ネットワーク
１００、２００  情報配信システム
１０１、２０１  情報端末装置
１０２、２０２  情報配信装置
１１１  位置情報取得手段
１１２  音声嗜好情報入力手段
１１３  画像嗜好情報入力手段
１２０、１９０、２２０、２９０  送信手段
１２１  位置情報送信手段
１２２  音声嗜好情報送信手段
１２３  画像嗜好情報送信手段
１３０、１６０、２３０、２６０  受信手段
１３１  配信情報受信手段
１３２  音声素片情報受信手段
１３３  キャラクタ画像情報受信手段
１４０  配信情報変換手段
１４１  言語辞書
１４２  音声合成手段
１４３  合成音声出力手段
１５１  音声素片情報格納手段
１５２、２５２  表示手段
１５３  配信情報格納手段
１６１  位置情報受信手段
１６２  音声嗜好情報受信手段
１６３  画像嗜好情報受信手段
１６４  配信情報提供手段
１７０、２７０  地域言語情報提供手段
１７１  地名読み情報提供手段
１７２  方言情報提供手段
１８０  付加情報提供手段
１８１  音声素片情報提供手段
１８２  キャラクタ画像情報提供手段
１９１、２９１  配信手段
１９２  音声素片情報配信手段
１９３  キャラクタ画像情報配信手段
２１２  翻訳選択情報入力手段
２１３  翻訳音声合成情報入力手段
２２２  翻訳選択情報送信手段
２２３  翻訳音声合成情報送信手段
２３２  他国言語音声素片情報受信手段
２３４  他国言語辞書受信手段
２４１  他国言語辞書格納手段
２５０  配信情報翻訳手段
２５１  他国言語音声素片情報格納手段
２６２  翻訳情報受信手段
２６３  翻訳音声合成情報受信手段
２７１  他国言語辞書提供手段
２７２  他国言語音声素片情報提供手段
【図１】
2004171196.tif 000003
【図２】
2004171196.tif 000004